(57)【要約】【課題】規定以上の軒天井厚さに対応不能な防火通気見切りを用いたとしても、所望の防火性能を有する柔軟な設計が可能な軒天井構造を提供する。【解決手段】軒裏に設けられた野縁１５ａ，１５ｂに一方の面が当接するよう取り付けられた軒天井下地板３２と、軒天井下地板３２の他方の面上に取り付けられた軒天井仕上げ板３４と、軒天井仕上げ板３４が嵌合可能な嵌合部および軒裏を換気するための通気口を有し、嵌合部の一部を形成する防火通気見切り留付部４２が軒天井下地板３２と軒天井仕上げ板３４との間で挟持される防火通気見切り４０とを備えた。【選択図】図２
0003197910.tif 000002
【実用新案登録請求の範囲】
【請求項１】
軒裏に設けられた野縁に一方の面が当接するよう取り付けられた下板部と、
前記下板部の他方の面上に取り付けられた上板部と、
前記上板部の一端部が嵌合可能な嵌合部および前記軒裏を換気するための通気口を有し、前記嵌合部の一部を形成する平板部分が前記下板部の一端部と前記上板部の一端部との間で挟持される通気部と、
を備えることを特徴とする軒天井構造。
【請求項２】
前記通気部は、その一端部が前記軒裏を有する建物の外壁に取り付けられ、他端部が前記嵌合部を有し、前記一端部と前記他端部との間に前記通気口を備えると共に、火災時にあっては前記通気口を閉塞する手段を備える防火通気見切りであり、
前記下板部は前記通気口の通気経路を形成するよう前記外壁から離間されていることを特徴とする請求項１記載の軒天井構造。
【請求項３】
前記下板部および前記上板部は、不燃性を有する１枚の平板部材または２以上の該平板部材を積層してなることを特徴とする請求項１または請求項２記載の軒天井構造。
【請求項４】
前記下板部および前記上板部は、少なくとも何れか一方がけい酸カルシウム板であることを特徴とする請求項１〜請求項３の何れか１項に記載の軒天井構造。
【考案の詳細な説明】
【技術分野】
【０００１】
本考案は、建築物の軒天井構造、特に住宅の軒天井構造であって、換気性能を有しながらも、隣接する住宅の火災時において、外部からの延焼を防止する軒天井構造に関する。
【背景技術】
【０００２】
建築基準法では、例えば、一般的な住宅地が多い準防火地域内の木造住宅の軒裏に関しては防火構造や準耐火構造が要求されており、３０分〜６０分の遮熱性、遮炎性および非損傷性（以下、これら３つの特性をあわせた性能を「防火性能」と称する）が要求されている。一方、住宅品質を高める観点から、軒天井に通気口を設けて住宅の軒裏の通気性能を向上させることも重要であり、現在、高い防火性能の保持と通気性能の向上という相反する性能の両立が求められている。
【０００３】
こうした要求に対応した軒天井構造としては、例えば特許文献１に示されるような防火性能と通気性能を兼ね備えた軒天見切り（以下、「防火通気見切り」と称する）を用いたものが実用化されている。この特許文献１に開示される防火通気見切りは、断面が略コ字状に軒裏側へ凹んだ形状を持ち、該凹部に通気スリットを設けることで、雨水等の侵入を防止すると共に通気性を確保している。また、この防火通気見切りは、火災等により周囲の温度が上昇した場合に、通気スリットの内側近傍に設けられた熱膨張性耐火材等が膨張するなどの方法により、通気スリットを閉塞させて軒裏への熱の侵入を防ぐ機能を有している。
【０００４】
図４は、防火通気見切りを備えた従来の軒天井構造の一部切欠き斜視図であり、図５は、その概略縦断面図である。図４および図５に示されるとおり、防火通気見切り２００は、軒１００の屋根１０１下方に配されている野縁１０２に取り付けられた軒天井１０３と、外壁３００との間に形成された隙間に配設される。この防火通気見切り２００は、野縁１０２に固定された防火通気見切り留付部２０２と軒天井挟持部２０４との間に軒天井１０３を差し込んだ際に、隙間を生じないようにこれを挟持するよう構成されている。このように防火通気見切り２００を用いた軒天井構造は、軒天井１０３を良好に支持することができ、軒裏の通気性能も高いことから優れた構造といえる。
【先行技術文献】
【特許文献】
【０００５】
【特許文献１】特開２０１０−２０３１６６号公報
【考案の概要】
【考案が解決しようとする課題】
【０００６】
しかしながら、上記のような防火通気見切りは、軒天井に用いる部材の厚さに適合したサイズのものを使用する必要があり、所望の防火性能を得るために軒天井を厚くしたい場合には、その必要厚さに合わせた専用の防火通気見切りを用意しなければならず、非常にコストがかかる。一方、防火通気見切りにその許容量以上の厚さを有する軒天井を使用して無理に嵌合させた場合、当該防火通気見切りに過負荷が加わるため、火災等による熱により歪が生じ易くなり、所望の防火性能を得られない虞がある。即ち、上記のような防火通気見切りは、軒天井の設計変更への柔軟な対応が難しいという問題があった。
【０００７】
本考案は、このような問題に鑑みてなされたもので、その目的とするところは、規定以上の軒天井厚さに対応不能な防火通気見切りを用いたとしても、所望の防火性能を有する柔軟な設計が可能な軒天井構造を提供することにある。
【課題を解決するための手段】
【０００８】
上述した課題を解決するため、本考案の一態様は、軒裏に設けられた野縁に一方の面が当接するよう取り付けられた下板部と、前記下板部の他方の面上に取り付けられた上板部と、前記上板部が嵌合可能な嵌合部および前記軒裏を換気するための通気口を有し、前記嵌合部の一部を形成する平板部分が前記下板部と前記上板部との間で挟持される通気部と、を備えた。
【考案の効果】
【０００９】
本考案によれば、規定以上の軒天井厚さに対応不能な防火通気見切りを用いたとしても、所望の防火性能を有する柔軟な設計が可能な軒天井構造を提供することができる。なお、本考案のその他の効果については、以下の考案を実施するための形態の項でも説明する。
【図面の簡単な説明】
【００１０】
【図１】本実施の形態に係る軒天井構造の一部切欠き斜視図である。
【図２】本実施の形態に係る軒天井構造の縦断面図である。
【図３】防火通気見切り周辺の部分拡大図である。
【図４】防火通気見切りを備えた従来の軒天井構造の一部切欠き斜視図である。
【図５】防火通気見切りを備えた従来の軒天井構造の縦断面図である。
【考案を実施するための形態】
【００１１】
以下に図面を参照しながら、本考案の好適な実施の形態について詳細に説明する。なお、本明細書および図面において、実質的に同一の機能構成を有する構成要素については、同一の符号を付することにより重複説明を省略する。
【００１２】
本考案の実施の形態に係る軒天井構造の構成について、図１〜図３を適宜参照しながら説明する。図１は、本実施の形態に係る軒天井構造の一部切欠き斜視図であり、図２は、その概略縦断面図である。
【００１３】
本実施の形態に係る軒１は、屋根１１と、屋根１１下面に配設されてこれを支持するための垂木１２と、垂木１２先端に設けられた鼻隠し１３および鼻隠し下地板１４とを備える一般的な軒構造をなしている。また、軒１は、鼻隠し下地板１４の下端部から略水平に外壁２０まで延在するように、図示しない釘などの留付材を用いて釘打ちされることで野縁１５ａ〜１５ｃが組み付けられており、この野縁１５ａ〜１５ｃに釘打ちされることで軒１の軒裏と外部とを隔絶する軒天井３０と軒裏を換気するための防火通気見切り４０とが取り付けられている。なお、本実施の形態の理解を容易にするため、図１において、軒１は住宅の軒のうちの一部を切り出した状態で示されており、軒天井３０はその一部を切り欠いた状態で示されている。
【００１４】
本実施の形態における軒天井３０は、軒天井下地板３２と、軒天井仕上げ板３４との２つの板状部材からなる積層構造をなしており、軒裏と外部とを隔絶して火災時の軒裏温度の上昇を抑制し、隣接する住宅からの延焼を防止するものである。
【００１５】
軒天井下地板３２は、不燃性を有する平板部材であり、図２に示されるように、その上面（軒裏側の面）が野縁１５ａ，１５ｂ下面（軒下側の面）に当接すると共に、下面が軒天井仕上げ板３４の上面に当接し、釘などの下地板留付材３２２により野縁１５ａ，１５ｂに釘打ちされて取り付けられている。また、軒天井下地板３２は、その水平方向における鼻隠し１３側の一端部が鼻隠し下地板１４まで延在すると共に、外壁２０側の他端部が防火通気見切り４０のスリット形成部４４（図３参照）の通気スリットを閉塞せずに軒裏と外部との通気経路を形成するように、後述する防火通気見切り４０の防火通気見切り留付部４２（図３）上まで延在している。即ち、軒天井下地板３２の他端部と外壁２０とは離間している。
【００１６】
軒天井仕上げ板３４は、防火通気見切り４０に対し好適に嵌合可能な厚さを有する不燃性の平板部材であり、その水平方向における鼻隠し１３側の一端部が鼻隠し１３まで延在すると共に、外壁２０側の他端部が防火通気見切り４０に嵌合してこれに支持されている。また、軒天井仕上げ板３４は、当該嵌合部分以外の部分における上面が軒天井下地板３２の下面に当接し、釘といった仕上げ板留付材３４２により軒天井下地板３２を貫通して野縁１５ａ，１５ｂに釘打ちされて取り付けられている。
【００１７】
これら軒天井下地板３２および軒天井仕上げ板３４は、同一の部材で構築することが好ましく、また、公的に不燃性能が認められたものであれば特に限定されないが、そのような部材としては、例えば繊維強化セメント板やスラグ石膏板などが挙げられ、特に繊維強化セメント板の一種であるけい酸カルシウム板（ＪＩＳ  Ａ  ５４３０：けい酸カルシウム板  タイプ２）が好適である。これは、けい酸カルシウム板が、軽量でありながら十分な強度と耐火性があり、軒天材として使用可能な耐水性を有しているためである。
【００１８】
なお、本実施の形態においては、軒天井下地板３２は、水平方向における外壁２０側端部と鼻隠し下地板１４側端部との２個所で野縁１５ａ，１５ｂに釘打ちされており、軒天井仕上げ板３４は、鼻隠し１３側一端部と外壁２０側他端部とこれらの間中央との３個所で釘打ちされている。しかしながら、これに限定されるものではなく、そのサイズに応じてより多くの複数個所で釘打ちするようにしてもよいことは言うまでもない。
【００１９】
次に、軒天井３０と防火通気見切り４０との配設方法について、図１および図３を用いてその詳細を説明する。図３は、防火通気見切り周辺の部分拡大図である。防火通気見切り４０は、図１に示されるように軒天井３０の外壁２０側縁部に沿って配設された金属製の縁部材であり、図３に示されるように、平板状をなす防火通気見切り留付部４２と、防火通気見切り留付部４２端部から外壁２０の方向へ延びて図示しない通気スリットが連設されたスリット形成部４４と、スリット形成部４４の端部から下方に略断面Ｌ字型に延びて外壁２０と接合する壁面接合部４６と、防火通気見切り留付部４２端部から外壁２０側下方に傾斜するよう延びて鼻隠し１３側に返すよう形成された軒天井挟持部４８とを備えて構成される。軒天井仕上げ板３４は、その一側端部が、防火通気見切り留付部４２と軒天井挟持部４８との間に嵌合するように防火通気見切り留付部４２と軒天井挟持部４８との間に挟持され、これにより支持される状態となる。
【００２０】
壁面接合部４６における鼻隠し１３側壁部には、火災時に膨張して通気スリットを閉塞する不燃性の膨張材５２が設けられており、軒天井挟持部４８における傾斜部分の外壁２０側壁部には所定の強さの風雨時に回動して通気スリットを閉塞する水返し材５４が設けられている。スリット形成部４４と、壁面接合部４６と、軒天井挟持部４８とから断面が略コ字状をなして軒裏側に凹んだ凹部が形成されており、当該凹部を通る矢印Ａは、スリット形成部４４の通気スリットを介して外部からの軒裏への通気がなされていることを示している。したがって、防火通気見切り４０は、雨水等の侵入を防止すると共に通気性を確保している。なお、このような防火通気見切り４０は、上記特許文献１などに開示されるとおり一般的なものであり、例えば日本化学産業株式会社製の防火通気見切縁ＢＭ２などがあげられるが、ここでの詳細な構成の説明は省略する。
【００２１】
本実施の形態における防火通気見切り留付部４２は、図３に示されるように、その上面が軒天井下地板３２と当接すると共に、下面が軒天井仕上げ板３４の上面と当接しており、タッピンネジ等の通気見切り留付材４２２により軒天井下地板３２を貫通して野縁１５ｂに対して取り付けられる。したがって、防火通気見切り留付部４２は、軒天井下地板３２と軒天井仕上げ板３４との間に挟持される状態で係止されている。
【００２２】
以上のように構成される本実施の形態によれば、軒天井仕上げ板３４および防火通気見切り４０が軒天井下地板３２上に取り付けられることにより、防火通気見切り４０が対応している厚みの軒天井仕上げ板３４では不足している分の防火性能を、軒天井下地板３２によって充足することができるという顕著な効果を奏する。したがって、軒天井仕上げ板３４として選定した汎用性のある厚さの不燃ボードと、これに対応した防火通気見切り４０の組み合わせを少なくとも１種類用意しておくだけで、軒天井下地板３２の厚さや材質を所望の防火性能に合わせて適宜選択することが可能となるため、設計変更に対し極めて柔軟に対応することができる。
【００２３】
例えば、本考案を用いず、厚さ１２ｍｍのけい酸カルシウム板を軒天井仕上げ板３４として用い、１２ｍｍの板厚に対応した市販の防火通気見切り４０を用いた場合、その軒天井構造は、軒裏準耐火構造３０分（防火通気見切り有り）の仕様となる。これを軒裏準耐火構造４５分（防火通気見切り有り）の仕様へと変更する場合、本考案を適用し、厚さ１２ｍｍのけい酸カルシウム板と当該防火通気見切り４０を流用して厚さ５ｍｍのけい酸カルシウム板を軒天井下地板３２として配設すればよく、２枚重ねの総厚１７ｍｍに対応した専用の防火通気見切り４０を別途特別に生産して在庫する場合と比較して大幅に手間とコストを削減することが出来る。
【００２４】
なお、本実施の形態においては、軒天井３０が略水平に配設された野縁１５ａ〜１５ｃに取り付けられると説明したがこれに限定されるものではなく、垂木１２の傾斜に沿って野縁１５ａ〜１５ｃが配設されていても、軒天井３０および防火通気見切り４０を取り付け可能であることは言うまでもない。また、軒天井下地板３２や軒天井仕上げ板３４は、１枚の平板部材でなくてもよく、それぞれ又は何れかが複数の平板部材からなる積層構造を有していてもよい。また、軒天井下地板３２は他端部が防火通気見切り留付部４２上まで延在しているとしたが、通気経路を形成するスリットを設ける等して外壁２０まで延びるよう形成してもよい。
【００２５】
本考案は、その要旨または主要な特徴から逸脱することなく、他の様々な形で実施することができる。そのため、前述の実施の形態は、あらゆる点で単なる例示に過ぎず、限定的に解釈してはならない。本考案の範囲は、実用新案登録請求の範囲によって示すものであって、明細書本文には、何ら拘束されない。さらに、実用新案登録請求の範囲の均等範囲に属する全ての変形、様々な改良、代替および改質は、全て本考案の範囲内のものである。
【００２６】
なお、実用新案登録請求の範囲に記載の軒天井構造は、例えば前述の実施の形態における軒天井３０および防火通気見切り４０に対応する。下板部は、例えば軒天井下地板３２に対応し、上板部は、例えば軒天井仕上げ板３４に対応する。嵌合部は、例えば防火通気見切り留付部４２および軒天井挟持部４８に対応し、平板部分は、例えば防火通気見切り留付部４２に対応する。通気部および防火通気見切りは、例えば防火通気見切り４０に対応する。
【符号の説明】
【００２７】
１  軒
１５ａ〜１５ｃ  野縁
２０  外壁
３０  軒天井
３２  軒天井下地板
３４  軒天井仕上げ板
４０  防火通気見切り
４２  防火通気見切り留付部
４４  スリット形成部
４８  軒天井挟持部
【図１】
0003197910.tif 000003
【図２】
0003197910.tif 000004
【図３】
0003197910.tif 000005
【図４】
0003197910.tif 000006
【図５】
0003197910.tif 000007